【手続補正書】
【提出日】平成15年10月8日(2003.10.8)
【手続補正１】
【補正対象書類名】明細書
【補正対象項目名】特許請求の範囲
【補正方法】変更
【補正の内容】
【特許請求の範囲】
【請求項１】
送信する信号を電波に変換して送信し、受信した電波より信号を抽出するＲＦモジュールと、
受信した電波の電界強度を測定してこれを出力する電界強度測定手段と、
前記電界強度測定手段から出力された電界強度に基づき、エラー訂生のための付加ビットを生成する生成多項式を決定する生成多項式決定手段と、
前記生成多項式決定手段により決定された生成多項式を使用して送信データのＦＥＣ用付加ビットを演算するＦＥＣ演算部と、
前記生成多項式決定手段により決定された生成多項式を示す生成多項式番号と、ＦＥＣ演算部からのＦＥＣ用付加ビットと、送信データとを多重化する多重化手段と、
前記多重化手段からの送信パケットを移動体通信網のプロトコルに対応した形態に変換して前記ＲＦモジュールへ送る信号処理手段と
を備えた無線通信装置。
【請求項２】
送信する信号を電波に変換して送信し、受信した電波より信号を抽出するＲＦモジュールと、
受信した電波の電界強度を測定してこれを出力する電界強度測定手段と、
前記電界強度測定手段から出力された電界強度に基づいて生成多項式を決定する生成多項式決定手段と、
前記生成多項式決定手段により決定された生成多項式を使用して送信データのＦＥＣ用付加ビットを演算するＦＥＣ演算部と、
前記生成多項式決定手段により決定された生成多項式を示す生成多項式番号と、ＦＥＣ演算部からのＦＥＣ用付加ビットと、送信データとを多重化する多重化手段と、
前記多重化手段からの送信パケットを移動体通信網のプロトコルに対応したベースバンド信号に変換し、ＲＦモジュールからのベースバンド信号を受信パケットに変換するベースバンド処理手段と、
前記ベースバンド処理手段からの受信パケットよりエラー訂正前の受信データ、ＦＥＣ用付加ビット、生成多項式番号を分離する分離化手段と、
前記分離化手段から出力された生成多項式番号から生成多項式を判別して生成多項式を出力する生成多項式判別手段と、
前記生成多項式判別手段から出力される生成多項式と前記分離化手段から出力されるＦＥＣ用付加ビットを用い、前記分離化手段から出力されるエラー訂正前の受信データについてエラー検出及び訂正をおこない、受信データを出力するＦＥＣ訂正部と
を備えた無線通信装置。
【請求項３】
送信する信号を電波に変換して送信し、受信した電波より信号を抽出するＲＦモジュールと、
受信した電波の電界強度を測定してこれを出力する電界強度測定手段と、
前記電界強度測定手段から出力された電界強度に基づいて生成多項式テーブルを参照しながら生成多項式を決定する生成多項式決定手段と、
前記生成多項式決定手段により決定された生成多項式を使用して送信データのＦＥＣ用付加ビットを演算するＦＥＣ演算部と、
前記生成多項式決定手段により決定された生成多項式を示す生成多項式テーブル番号と、ＦＥＣ演算部からのＦＥＣ用付加ビットと、送信データとを多重化する多重化手段と、
前記多重化手段からの送信パケットを移動体通信網のプロトコルに対応したベースバンド信号に変換し、ＲＦモジュールからのベースバンド信号を受信パケットに変換するベースバンド処理手段と、
前記ベースバンド処理手段からの受信パケットよりエラー訂正前の受信データ、ＦＥＣ用付加ビット、生成多項式テーブル番号を分離する分離化手段と、
前記分離化手段から出力された生成多項式テーブル番号から生成多項式を判別して生成多項式を出力する生成多項式判別手段と、
前記生成多項式判別手段から出力される生成多項式と前記分離化手段から出力されるＦＥＣ用付加ビットを用い、前記分離化手段から出力されるエラー訂正前の受信データについてエラー検出及び訂正をおこない、受信データを出力するＦＥＣ訂正部と
を備えた無線通信装置。
【請求項４】
ＲＦモジュールから出力される受信電力情報から電界強度を測定し、
この電界強度に基づき、エラー訂生のための付加ビットを生成する生成多項式を決定し、
データ送信の際には決定された生成多項式を使用して送信データのＦＥＣ用付加ビットを演算し、
前記決定された生成多項式を示す番号と、演算によって得られたＦＥＣ用付加ビットと、送信データとを多重化するとともに移動体通信網のプロトコルに対応したベースバンド信号に変換し、
このベースバンド信号を電波に変調して送信する
ことを特徴とする無線通信網におけるエラー訂正方法。
【請求項５】
ＲＦモジュールから出力される受信電力情報から電界強度を測定し、
この電界強度に基づき、エラー訂生のための付加ビットを生成する生成多項式を決定し、
データ送信の際には決定された生成多項式を使用して送信データのＦＥＣ用付加ビットを演算し、
前記決定された生成多項式を示す番号と、演算によって得られたＦＥＣ用付加ビットと、送信データとを多重化するとともに移動体通信網のプロトコルに対応した送信パケットに変換し、
この送信パケットを電波に変調して送信し、
データ受信の際には、ＲＦモジュールからのベースバンド信号を受信パケットに変換し、
この受信パケットよりエラー訂正前の受信データ、ＦＥＣ用付加ビット、生成多項式を示す番号を分離し、
分離された生成多項式を示す番号から生成多項式を判別し、
この生成多項式と受信パケットより分離した前記ＦＥＣ用付加ビットを用い、エラー訂正前の受信データについてエラー検出及び訂正をおこない、受信データを出力する
ことを特徴とする無線通信網におけるエラー訂正方法。
【請求項６】
ＲＦモジュールから出力される受信電力情報から電界強度を測定し、
この電界強度に基づいて生成多項式テーブルを参照しながら生成多項式を決定するとともにこの生成多項式を示す生成多項式テーブル番号を生成多項式テーブルに与え、
生成多項式テーブルは与えられた生成多項式テーブル番号に基づいて生成多項式を出力し、
データ送信の際には決定された生成多項式を使用して送信データのＦＥＣ用付加ビットを演算し、
前記決定された生成多項式を示す生成多項式テーブル番号と、演算によって得られたＦＥＣ用付加ビットと、送信データとを多重化するとともに移動体通信網のプロトコルに対応したベースバンド信号に変換し、
このベースバンド信号を電波に変調して送信し、
データ受信の際には、ＲＦモジュールからのベースバンド信号を受信パケットに変換し、
この受信パケットよりエラー訂正前の受信データ、ＦＥＣ用付加ビット、生成多項式テーブル番号を分離し、
分離された生成多項式テーブル番号を生成多項式テーブルに与えて生成多項式を出力させ、
生成多項式テーブルから出力される生成多項式と受信パケットより分離した前記ＦＥＣ用付加ビットを用い、エラー訂正前の受信データについてエラー検出及び訂正をおこない、受信データを出力する
ことを特徴とする無線通信網におけるエラー訂正方法。
【手続補正２】
【補正対象書類名】明細書
【補正対象項目名】００１５
【補正方法】変更
【補正の内容】
【００１５】
【課題を解決するための手段】
本発明は、電界強度測定手段は、送信する信号を電波に変換して送信し、受信した電波より信号を抽出するＲＦモジュールと、受信した電波の電界強度を測定してこれを出力する電界強度測定手段と、電界強度測定手段から出力された電界強度に基づき、エラー訂生のための付加ビットを生成する生成多項式を決定する生成多項式決定手段と、生成多項式決定手段により決定された生成多項式を使用して送信データのＦＥＣ用付加ビットを演算するＦＥＣ演算部と、生成多項式決定手段により決定された生成多項式を示す生成多項式番号,ＦＥＣ演算部からのＦＥＣ用付加ビット,送信データとを多重化する多重化手段と、多重化手段からの送信パケットを移動体通信網のプロトコルに対応した形態に変換して前記ＲＦモジュールへ送る信号処理手段とを備えた。